【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
以下を備える、クローキングシステム：
第１の側からクローキング空間に接近する光を検出するように構成されている電子的光検出器であって、電子的に検出される前記光が前記光検出器に入射する複数の第１光線により特徴付けられる、前記電子的光検出器；ならびに
前記クローキング空間の第２の側から離れる方向に光を発出するように構成されている電子的発光器であって、電子的に発出される前記光が複数の第２光線により特徴付けられ、前記発光器が発光器アレイの上に配置されている第１レンズアレイを備え、前記電子的発光器が、前記第２光線のうちの少なくともいくつかが前記第１光線のうちの少なくともいくつかと実質的に一直線になるように前記光を発出するように構成されている、前記電子的発光器。
【請求項２】
前記電子的光検出器が、検出器アレイの上に配置されている第２レンズアレイを備える、請求項１に記載のクローキングシステム。
【請求項３】
前記電子的光検出器が、前記光検出器に入射する前記複数の第１光線のうちの少なくともいくつかの位置及び方向の両方を検出するように構成されている、請求項２に記載のクローキングシステム。
【請求項４】
前記電子的発光器アレイが複数の発光領域を含み、前記第１レンズアレイのレンズのうちの少なくともいくつかがそれぞれ、前記複数の発光領域のグループの上に配置されており、前記電子的検出器アレイが複数の光検出領域を含み、前記第２レンズアレイのレンズのうちの少なくともいくつかがそれぞれ、前記複数の光検出領域のグループの上に配置されている、請求項２に記載のクローキングシステム。
【請求項５】
特定の光検出領域における電子的光検出が、特定の発光領域における電子的発光を生じさせるように、前記光検出領域のうちの少なくともいくつかがそれぞれ、対応する発光領域に対応付けられる、請求項４に記載のクローキングシステム。
【請求項６】
前記光検出領域及び前記発光領域が、第１発光領域に対応する第１光検出領域と、第２発光領域に対応する第２光検出領域とを含み、前記第１光検出領域及び前記第１発光領域が第１軸に沿って整列し、前記第２光検出領域及び前記第２発光領域が第２軸に沿って整列し、前記第１軸と前記第２軸が平行ではない、請求項５に記載のクローキングシステム。
【請求項７】
前記光検出領域及び前記発光領域が、第３発光領域に対応する第３光検出領域を含み、前記第３光検出領域及び前記第３発光領域が第３軸に沿って整列し、前記第１軸と前記第３軸が平行ではなく、前記第２軸と前記第３軸が平行である、請求項６に記載のクローキングシステム。
【請求項８】
前記検出器アレイが、少なくとも１つのソリッドステート画像センサを備える、請求項２に記載のクローキングシステム。
【請求項９】
前記ソリッドステート画像センサが、ＣＣＤセンサまたはＣＭＯＳセンサを含む、請求項８に記載のクローキングシステム。
【請求項１０】
前記検出器アレイ及び前記発光器アレイが、光ファイバを備える、請求項２に記載のクローキングシステム。
【請求項１１】
前記クローキング空間を少なくとも部分的に囲むように構成されている、請求項１に記載のクローキングシステム。
【請求項１２】
前記電子的光検出器及び前記電子的発光器が平面状である、請求項１１に記載のクローキングシステム。
【請求項１３】
前記電子的光検出器及び前記電子的発光器のうちの少なくとも１つが湾曲状であるかまたは角ばっている、請求項１１に記載のクローキングシステム。
【請求項１４】
前記電子的光検出器及び前記電子的発光器がそれぞれ少なくとも１つの端部を含み、前記電子的光検出器の前記端部が前記電子的発光器の前記端部と接する、請求項１３に記載のクローキングシステム。
【請求項１５】
前記クローキング空間が、前記検出器アレイと前記発光器アレイの間にあり、前記検出器アレイ及び前記発光器アレイが、前記第１レンズアレイと前記第２レンズアレイの間にある、請求項２に記載のクローキングシステム。
【請求項１６】
前記検出器アレイの個々の領域のうちの１つにおける光検出が、前記発光器アレイの個々の領域のうちの１つにおける発光を生じさせるように、前記検出器アレイの前記個々の領域がそれぞれ、前記発光器アレイの前記個々の領域にマッピングされる、請求項２に記載のクローキングシステム。
【請求項１７】
以下の工程を含む、光検出器と発光器の間に少なくとも部分的に存在するクローキング空間をクローキングする方法：
前記光検出器に接近する複数の第１光線のうちの少なくともいくつかの位置及び方向を測定する工程であって、前記光検出器が、前記光線の前記位置を測定するように構成されている第１レンズアレイと、前記光線の前記方向を測定するように構成されている検出器アレイとを備える、工程；ならびに
測定された前記複数の第１光線の前記位置及び方向に基づいて前記発光器から複数の第２光線を発出する工程であって、前記発光器が第２レンズアレイ及び発光器アレイを備え、人の視野から前記クローキング領域が少なくとも部分的にクローキングされるように、前記複数の第２光線のうちの少なくともいくつかと前記複数の第１光線のうちの少なくともいくつかの位置及び方向が実質的に合わせられる、工程。
【請求項１８】
以下を備える、クローキングシステム：
第１の側からクローキング空間に接近する光を検出するように構成されている電子的光検出器であって、検出される前記光が前記光検出器に入射する複数の第１光線により特徴付けられる、前記電子的光検出器；ならびに
前記電子的光検出器により検出された光に基づいて前記クローキング空間の第２の側から離れる方向に光を発出するように構成されている電子的発光器であって、発出される前記光が複数の第２光線により特徴付けられ、前記発光器が発光器アレイの上に配置されている第１レンズを備える、前記電子的発光器。
【請求項１９】
前記光検出器が、背景画像を取り込むように構成されており、前記発光器が、前記背景画像の少なくとも一部を投影するように構成されている、請求項１８に記載のクローキングシステム。
【請求項２０】
投影された前記背景画像の観察者への見え方が、前記発光器に対する前記観察者の位置に応じて変化する、請求項１９に記載のクローキングシステム。
【請求項２１】
前記背景画像を複数の部分画像に分割するように構成されている、請求項１９に記載のクローキングシステム。
【請求項２２】
前記システムが、前記部分画像をインターリーブするように構成されており、前記発光器アレイが、インターリーブされた前記部分画像として前記背景画像を投影するように構成されている、請求項２１に記載のクローキングシステム。
【請求項２３】
前記クローキング空間の前記第１の側に配置された物体の深度に関する情報を収集するように構成されている深度検出器をさらに備える、請求項１８に記載のクローキングシステム。
【請求項２４】
前記光検出器が、前記クローキング空間の前記第１の側から背景画像を取り込むように構成されており、前記システムが、前記背景画像における物体の深度に関する情報を取り込むように構成されている、請求項１８に記載のクローキングシステム。
【請求項２５】
以下の工程を含む、クローキング空間のためのクローキングシステムを作る方法：
前記クローキング空間の第１の側に配置された背景の１つまたは複数の画像を取り込む工程；ならびに
取り込まれた前記１つまたは複数の画像から景色を生成する工程であって、生成された前記景色が、前記クローキング空間をクローキングするように前記クローキング空間の第２の側のレンズアレイの後ろに配置されるように構成されている、工程。
【請求項２６】
前記１つまたは複数の画像を取り込む工程が、複数の画像を取り込むことを含み、前記景色を生成する工程が、取り込まれた前記複数の画像をインターリーブすることを含む、請求項２５に記載の方法。
【請求項２７】
前記景色を生成する工程が、静止景色を印刷することを含む、請求項２６に記載の方法。
【請求項２８】
前記レンズアレイがレンチキュラレンズアレイを備え、生成された前記景色が複数の列を含み、前記列のうちの少なくともいくつかが前記背景に対する異なる観察位置に対応する、請求項２６に記載の方法。
【請求項２９】
以下を備える、多方向クローキングシステム：
クローキング空間に接近する光を検出するように構成されている複数の離散している電子的光検出画素であって、検出される前記光が複数の第１光線により特徴付けられる、前記複数の離散している電子的光検出画素；ならびに
前記クローキング空間から離れる方向に光を発出するように構成されている複数の離散している電子的発光画素であって、発出される前記光が複数の第２光線により特徴付けられ、前記複数の離散している電子的発光画素が、前記第２光線のうちの少なくともいくつかが前記第１光線のうちの少なくともいくつかと実質的に一直線になるように、発出される前記光を発出するように構成されている、前記複数の離散している電子的発光画素。
【請求項３０】
球対称である、請求項２９に記載の多方向クローキングシステム。
【請求項３１】
前記複数の離散している電子的発光画素のうちの少なくともいくつかが空間的に離散しており、前記複数の離散している電子的発光画素のうちの少なくともいくつかがそれぞれ、複数の離散している発光方向に対応する複数の離散している電子的発光部分画素を備える、請求項２９に記載の多方向クローキングシステム。
【請求項３２】
前記複数の離散している電子的光検出画素のうちの少なくともいくつかが空間的に離散しており、前記複数の離散している電子的光検出画素のうちの少なくともいくつかがそれぞれ、複数の離散している光検出方向に対応する複数の離散している光検出部分画素を備える、請求項２９に記載の多方向クローキングシステム。
【請求項３３】
前記複数の離散している電子的光検出画素のうちの少なくともいくつかが開口を備え、前記複数の離散している光検出部分画素のうちの少なくともいくつかが、前記開口のうちの少なくともいくつかの下に光検出器の非平面アレイを備える、請求項３２に記載の多方向クローキングシステム。
【請求項３４】
前記複数の離散している電子的光検出画素のうちの少なくともいくつかが小型レンズを備え、前記複数の離散している光検出部分画素のうちの少なくともいくつかが、前記小型レンズのうちの少なくともいくつかの下に光検出器を備える、請求項３２に記載の多方向クローキングシステム。
【請求項３５】
個々の前記離散している電子的光検出画素のうちの１つにおける光検出が、個々の前記離散している電子的発光画素のうちの１つにおける発光を生じさせるように、前記離散している電子的光検出画素のうちの少なくともいくつかがそれぞれ、前記離散している電子的発光画素のうちの１つに対応付けられる、請求項２９に記載の多方向クローキングシステム。
【請求項３６】
前記離散している電子的発光画素に対する前記離散している電子的光検出画素のうちの１つまたは複数の移動により、特定の離散している電子的発光画素と特定の離散している電子的光検出画素との前記対応付けが変更されるように、前記離散している電子的光検出画素と前記離散している電子的発光画素との前記対応付けが動的である、請求項３５に記載の多方向クローキングシステム。
【請求項３７】
位相整合型である、請求項２９に記載の多方向クローキングシステム。
【請求項３８】
以下を備える、受動型クローキングシステム：
方向特性及び位置特性を有する光線を集める複数のレンズを備える入力小型レンズアレイ、及び集められた前記光線を発出する複数のレンズを備える出力小型レンズアレイであって、前記入力小型レンズアレイと前記出力小型レンズアレイの間のクローキング領域を画定する、前記入力小型レンズアレイ及び前記出力小型レンズアレイ；ならびに
前記入力小型レンズアレイにより集められた前記光線が前記出力小型レンズアレイにより発出されるように、かつ発出された前記光線のうちの少なくともいくつかが、集められた前記光線のうちの少なくともいくつかと実質的に一直線になるように、前記クローキング領域を通して引き回されて前記入力小型レンズアレイのレンズを前記出力小型レンズアレイのレンズと光学的につなぐ、複数の光ファイバ。
【請求項３９】
発出される前記光線が、集められた前記光線のスペクトル特性を保持する、請求項３８に記載の受動型クローキングシステム。
【請求項４０】
前記入力小型レンズアレイの前記レンズが、集めた光を、対応する光ファイバのファイバ芯に集中させる、請求項３９に記載の受動型クローキングシステム。
【請求項４１】
前記複数の光ファイバが、マルチモード光ファイバを含む、請求項４０に記載の受動型クローキングシステム。
【手続補正２】
【補正対象書類名】明細書
【補正対象項目名】００５０
【補正方法】変更
【補正の内容】
【００５０】
受動型クローキングシステムのいくつかの実施形態において、発出される光線は、集められた光線のスペクトル特性を保持する。入力小型レンズアレイのレンズは、集めた光を、対応する光ファイバのファイバ芯に集中させ得る。複数の光ファイバは、マルチモード光ファイバであり得る。
[本発明1001]
以下を備える、クローキングシステム：
第1の側からクローキング空間に接近する光を検出するように構成されている電子的光検出器であって、電子的に検出される前記光が前記光検出器に入射する複数の第1光線により特徴付けられる、前記電子的光検出器；ならびに
前記クローキング空間の第2の側から離れる方向に光を発出するように構成されている電子的発光器であって、電子的に発出される前記光が複数の第2光線により特徴付けられ、前記発光器が発光器アレイの上に配置されている第1レンズアレイを備え、前記電子的発光器が、前記第2光線のうちの少なくともいくつかが前記第1光線のうちの少なくともいくつかと実質的に一直線になるように前記光を発出するように構成されている、前記電子的発光器。
[本発明1002]
前記電子的光検出器が、検出器アレイの上に配置されている第2レンズアレイを備える、本発明1001のクローキングシステム。
[本発明1003]
前記電子的光検出器が、前記光検出器に入射する前記複数の第1光線のうちの少なくともいくつかの位置及び方向の両方を検出するように構成されている、本発明1002のクローキングシステム。
[本発明1004]
前記電子的発光器アレイが複数の発光領域を含み、前記第1レンズアレイのレンズのうちの少なくともいくつかがそれぞれ、前記複数の発光領域のグループの上に配置されており、前記電子的検出器アレイが複数の光検出領域を含み、前記第2レンズアレイのレンズのうちの少なくともいくつかがそれぞれ、前記複数の光検出領域のグループの上に配置されている、本発明1002のクローキングシステム。
[本発明1005]
特定の光検出領域における電子的光検出が、特定の発光領域における電子的発光を生じさせるように、前記光検出領域のうちの少なくともいくつかがそれぞれ、対応する発光領域に対応付けられる、本発明1004のクローキングシステム。
[本発明1006]
前記光検出領域及び前記発光領域が、第1発光領域に対応する第1光検出領域と、第2発光領域に対応する第2光検出領域とを含み、前記第1光検出領域及び前記第1発光領域が第1軸に沿って整列し、前記第2光検出領域及び前記第2発光領域が第2軸に沿って整列し、前記第1軸と前記第2軸が平行ではない、本発明1005のクローキングシステム。
[本発明1007]
前記光検出領域及び前記発光領域が、第3発光領域に対応する第3光検出領域を含み、前記第3光検出領域及び前記第3発光領域が第3軸に沿って整列し、前記第1軸と前記第3軸が平行ではなく、前記第2軸と前記第3軸が平行である、本発明1006のクローキングシステム。
[本発明1008]
前記検出器アレイが、少なくとも1つのソリッドステート画像センサを備える、本発明1002のクローキングシステム。
[本発明1009]
前記ソリッドステート画像センサが、ＣＣＤセンサまたはＣＭＯＳセンサを含む、本発明1008のクローキングシステム。
[本発明1010]
前記検出器アレイ及び前記発光器アレイが、光ファイバを備える、本発明1002のクローキングシステム。
[本発明1011]
前記クローキング空間を少なくとも部分的に囲むように構成されている、本発明1001のクローキングシステム。
[本発明1012]
前記電子的光検出器及び前記電子的発光器が平面状である、本発明1011のクローキングシステム。
[本発明1013]
前記電子的光検出器及び前記電子的発光器のうちの少なくとも1つが湾曲状であるかまたは角ばっている、本発明1011のクローキングシステム。
[本発明1014]
前記電子的光検出器及び前記電子的発光器がそれぞれ少なくとも1つの端部を含み、前記電子的光検出器の前記端部が前記電子的発光器の前記端部と接する、本発明1013のクローキングシステム。
[本発明1015]
前記クローキング空間が、前記検出器アレイと前記発光器アレイの間にあり、前記検出器アレイ及び前記発光器アレイが、前記第1レンズアレイと前記第2レンズアレイの間にある、本発明1002のクローキングシステム。
[本発明1016]
前記検出器アレイの個々の領域のうちの1つにおける光検出が、前記発光器アレイの個々の領域のうちの1つにおける発光を生じさせるように、前記検出器アレイの前記個々の領域がそれぞれ、前記発光器アレイの前記個々の領域にマッピングされる、本発明1002のクローキングシステム。
[本発明1017]
以下の工程を含む、光検出器と発光器の間に少なくとも部分的に存在するクローキング空間をクローキングする方法：
前記光検出器に接近する複数の第1光線のうちの少なくともいくつかの位置及び方向を測定する工程であって、前記光検出器が、前記光線の前記位置を測定するように構成されている第1レンズアレイと、前記光線の前記方向を測定するように構成されている検出器アレイとを備える、工程；ならびに
測定された前記複数の第1光線の前記位置及び方向に基づいて前記発光器から複数の第2光線を発出する工程であって、前記発光器が第2レンズアレイ及び発光器アレイを備え、人の視野から前記クローキング領域が少なくとも部分的にクローキングされるように、前記複数の第2光線のうちの少なくともいくつかと前記複数の第1光線のうちの少なくともいくつかの位置及び方向が実質的に合わせられる、工程。
[本発明1018]
以下を備える、クローキングシステム：
第1の側からクローキング空間に接近する光を検出するように構成されている電子的光検出器であって、検出される前記光が前記光検出器に入射する複数の第1光線により特徴付けられる、前記電子的光検出器；ならびに
前記電子的光検出器により検出された光に基づいて前記クローキング空間の第2の側から離れる方向に光を発出するように構成されている電子的発光器であって、発出される前記光が複数の第2光線により特徴付けられ、前記発光器が発光器アレイの上に配置されている第1レンズを備える、前記電子的発光器。
[本発明1019]
前記光検出器が、背景画像を取り込むように構成されており、前記発光器が、前記背景画像の少なくとも一部を投影するように構成されている、本発明1018のクローキングシステム。
[本発明1020]
投影された前記背景画像の観察者への見え方が、前記発光器に対する前記観察者の位置に応じて変化する、本発明1019のクローキングシステム。
[本発明1021]
前記背景画像を複数の部分画像に分割するように構成されている、本発明1019のクローキングシステム。
[本発明1022]
前記システムが、前記部分画像をインターリーブするように構成されており、前記発光器アレイが、インターリーブされた前記部分画像として前記背景画像を投影するように構成されている、本発明1021のクローキングシステム。
[本発明1023]
前記クローキング空間の前記第1の側に配置された物体の深度に関する情報を収集するように構成されている深度検出器をさらに備える、本発明1018のクローキングシステム。
[本発明1024]
前記光検出器が、前記クローキング空間の前記第1の側から背景画像を取り込むように構成されており、前記システムが、前記背景画像における物体の深度に関する情報を取り込むように構成されている、本発明1018のクローキングシステム。
[本発明1025]
以下の工程を含む、クローキング空間のためのクローキングシステムを作る方法：
前記クローキング空間の第1の側に配置された背景の1つまたは複数の画像を取り込む工程；ならびに
取り込まれた前記1つまたは複数の画像から景色を生成する工程であって、生成された前記景色が、前記クローキング空間をクローキングするように前記クローキング空間の第2の側のレンズアレイの後ろに配置されるように構成されている、工程。
[本発明1026]
前記1つまたは複数の画像を取り込む工程が、複数の画像を取り込むことを含み、前記景色を生成する工程が、取り込まれた前記複数の画像をインターリーブすることを含む、本発明1025の方法。
[本発明1027]
前記景色を生成する工程が、静止景色を印刷することを含む、本発明1026の方法。
[本発明1028]
前記レンズアレイがレンチキュラレンズアレイを備え、生成された前記景色が複数の列を含み、前記列のうちの少なくともいくつかが前記背景に対する異なる観察位置に対応する、本発明1026の方法。
[本発明1029]
以下を備える、多方向クローキングシステム：
クローキング空間に接近する光を検出するように構成されている複数の離散している電子的光検出画素であって、検出される前記光が複数の第1光線により特徴付けられる、前記複数の離散している電子的光検出画素；ならびに
前記クローキング空間から離れる方向に光を発出するように構成されている複数の離散している電子的発光画素であって、発出される前記光が複数の第2光線により特徴付けられ、前記複数の離散している電子的発光画素が、前記第2光線のうちの少なくともいくつかが前記第1光線のうちの少なくともいくつかと実質的に一直線になるように、発出される前記光を発出するように構成されている、前記複数の離散している電子的発光画素。
[本発明1030]
球対称である、本発明1029の多方向クローキングシステム。
[本発明1031]
前記複数の離散している電子的発光画素のうちの少なくともいくつかが空間的に離散しており、前記複数の離散している電子的発光画素のうちの少なくともいくつかがそれぞれ、複数の離散している発光方向に対応する複数の離散している電子的発光部分画素を備える、本発明1029の多方向クローキングシステム。
[本発明1032]
前記複数の離散している電子的光検出画素のうちの少なくともいくつかが空間的に離散しており、前記複数の離散している電子的光検出画素のうちの少なくともいくつかがそれぞれ、複数の離散している光検出方向に対応する複数の離散している光検出部分画素を備える、本発明1029の多方向クローキングシステム。
[本発明1033]
前記複数の離散している電子的光検出画素のうちの少なくともいくつかが開口を備え、前記複数の離散している光検出部分画素のうちの少なくともいくつかが、前記開口のうちの少なくともいくつかの下に光検出器の非平面アレイを備える、本発明1032の多方向クローキングシステム。
[本発明1034]
前記複数の離散している電子的光検出画素のうちの少なくともいくつかが小型レンズを備え、前記複数の離散している光検出部分画素のうちの少なくともいくつかが、前記小型レンズのうちの少なくともいくつかの下に光検出器を備える、本発明1032の多方向クローキングシステム。
[本発明1035]
個々の前記離散している電子的光検出画素のうちの1つにおける光検出が、個々の前記離散している電子的発光画素のうちの1つにおける発光を生じさせるように、前記離散している電子的光検出画素のうちの少なくともいくつかがそれぞれ、前記離散している電子的発光画素のうちの1つに対応付けられる、本発明1029の多方向クローキングシステム。
[本発明1036]
前記離散している電子的発光画素に対する前記離散している電子的光検出画素のうちの1つまたは複数の移動により、特定の離散している電子的発光画素と特定の離散している電子的光検出画素との前記対応付けが変更されるように、前記離散している電子的光検出画素と前記離散している電子的発光画素との前記対応付けが動的である、本発明1035の多方向クローキングシステム。
[本発明1037]
位相整合型である、本発明1029の多方向クローキングシステム。
[本発明1038]
以下を備える、受動型クローキングシステム：
方向特性及び位置特性を有する光線を集める複数のレンズを備える入力小型レンズアレイ、及び集められた前記光線を発出する複数のレンズを備える出力小型レンズアレイであって、前記入力小型レンズアレイと前記出力小型レンズアレイの間のクローキング領域を画定する、前記入力小型レンズアレイ及び前記出力小型レンズアレイ；ならびに
前記入力小型レンズアレイにより集められた前記光線が前記出力小型レンズアレイにより発出されるように、かつ発出された前記光線のうちの少なくともいくつかが、集められた前記光線のうちの少なくともいくつかと実質的に一直線になるように、前記クローキング領域を通して引き回されて前記入力小型レンズアレイのレンズを前記出力小型レンズアレイのレンズと光学的につなぐ、複数の光ファイバ。
[本発明1039]
発出される前記光線が、集められた前記光線のスペクトル特性を保持する、本発明1038の受動型クローキングシステム。
[本発明1040]
前記入力小型レンズアレイの前記レンズが、集めた光を、対応する光ファイバのファイバ芯に集中させる、本発明1039の受動型クローキングシステム。
[本発明1041]
前記複数の光ファイバが、マルチモード光ファイバを含む、本発明1040の受動型クローキングシステム。